(57)【要約】【課題】  大まかな領域探査と特定する探査をそれぞれ専用のセンサを使用して二段階で行うことにより、効率的にかつ優れた精度で、探査する配線を特定することができる配線路探査器を提供する。【解決手段】  配線路探査器は送信器と受信器(1)で構成されている。送信器は探査する配線に対し、信号電流として商用周波数を超える周波数の高周波信号電流と、商用周波数未満の周波数の低周波信号電流を重畳して印加することができる。受信器(1)は配線に送信器より印加された高周波信号電流により発生する磁界を、配線から離隔した状態で検出する非接触センサ(18)と、配線に送信器より印加された高周波信号電流または低周波信号電流により発生する磁界を、配線をクランプした状態または配線に接触させた状態で検出するクランプセンサ(16)と、非接触センサ(18)またはクランプセンサ(16)により検出した受信レベルを表示する受信レベル表示部(15)を備えている。【選択図】        図１
2006184246.tif 000002
【特許請求の範囲】
【請求項１】
信号電流として、商用周波数を超える周波数の高周波信号電流と商用周波数未満の周波数の低周波信号電流を重畳して、探査する配線に印加し、
配線路の検出箇所において、高周波信号電流により発生する磁界を検出し、受信レベルによって、探査する配線の領域探査を行い、
上記領域探査により、探査する配線が含まれる領域を絞り込んだ後、その領域内の検出箇所において、更に高周波信号電流または低周波信号電流により発生する磁界を検出し、受信レベルによって、探査する配線を特定することを特徴とする、
配線路探査方法。
【請求項２】
配線探査用の受信器であって、
配線に、送信器(2)から重畳して印加された高周波信号電流及び低周波信号電流により発生する磁界を、配線から離隔した状態で高周波信号電流を検出する非接触センサ(18)と、
配線をクランプした状態または配線に接触させた状態で高周波信号電流または低周波信号電流を検出する接触センサ(16)と、
配線に送信器(2)より重畳して印加された高周波信号電流または低周波信号電流により発生する磁界を、上記非接触センサ(18)または接触センサ(16)で検出された受信レベルを表示する表示手段(15)と、
を備えていることを特徴とする、
配線路探査用受信器。
【請求項３】
非接触センサ(18)または接触センサ(16)を設けてある部分が、可変または取替可能な構造であることを特徴とする、
請求項２記載の配線路探査用受信器。
【請求項４】
送信器(2)と、請求項２または３記載の配線路探査用受信器(1,1a)とを備えており、
送信器(2)は、
探査する配線に対し、信号電流として商用周波数を超える周波数の高周波信号電流と、商用周波数未満の周波数の低周波信号電流を重畳して印加する印加手段を備えていることを特徴とする、
配線路探査器。
【発明の詳細な説明】
【技術分野】
【０００１】
本発明は、配線路探査用受信器、それを使用した配線路探査器及び配線路探査方法に関するものである。更に詳しくは、探査する配線に印加された信号電流により配線に発生する磁界を検出箇所においてセンサにより検出し、受信レベルによって、探査する配線を特定することができるものであって、大まかな領域探査と特定する探査をそれぞれ専用のセンサを使用して段階的に行うことにより、効率よく、かつ優れた精度で、探査する配線を特定することができる配線路探査用受信器、それを使用した配線路探査器及び配線路探査方法に関する。
【背景技術】
【０００２】
各種構造物や施設においては、機器の電気的な接続を行うために電線を配した配線路が設けられている。この配線路においては、多数の電線が数百ｍという長距離で配される場合もある。上記構造物や施設において、例えば機器の増設や撤去、あるいは各種メンテナンスを行う際等に、電気的接続すなわち特定の配線の経路を探査しなければならない場合がある。
【０００３】
配線の探査を行うための従来の一般的な方法は次のとおりである。まず、探査の対象となる配線の所要の箇所から配線上に商用周波数以外の所要の周波数の信号電流を印加し、別の離れた箇所において、探査する配線と思われる配線または配線路遮断器の表面に受信器のセンサを近付けるかまたは接触させて、配線に生じている磁界を検出し、その受信レベルから該当配線の特定を行っていた（例えば、特許文献１参照）。
なお、このような配線の探査には、配線路を構成する各配線を停電させないで行う活線状態での探査と、停電させて行う死線状態での探査がある。
【０００４】
【特許文献１】特開平９−３２９６３５号公報
【発明の開示】
【発明が解決しようとする課題】
【０００５】
上記したような配線の探査において、比較的高い周波数領域の信号電流を送信器より印加した場合では、より長い電線の探査ができる反面、一般的にノイズ発生環境が高周波領域に多いため、受信器のセンサが誘導やノイズ（妨害波雑音）による影響を受けやすい。また、比較的低い周波数領域の信号電流を送信器より印加した場合では、逆にノイズの影響を受けにくい反面、探査できる電線の長さは短くなってしまう。
【０００６】
受信器のセンサがノイズの影響を受けると、例えば活線状態での探査において、信号電流が流れている配線と、信号電流が流れていない配線のそれぞれの信号検出値が、ノイズを含む磁界の影響で差が出ないことがあり、この場合は探査する配線を特定することは困難であった。
【０００７】
また、信号電流が印加された配線と、印加されていない配線が非常に接近している場合は、送信器出力の高周波信号による磁界の影響で、上記の各配線における信号検出に差が出ないことがある。その場合、受信器の信号検出感度を低下させて反応範囲を狭めて探査するのも一方法であるが、この方法では作業性が悪くなり、結果として探査する配線の特定が困難になることが多かった。
【０００８】
更には、配線が密集しているような場合、受信器が狭い隙間に入らず、受信器内部のセンサを配線に近付けることができずに、配線個々の正確な検出ができないことがあった。つまり、磁界の強度は距離の二乗に反比例して弱くなるため、検出値の信頼性を高め必要な探査精度を得るには、センサが配線や配線路遮断器表面等に対して常に同一距離となるように受信器を接触させることが必要である。
【０００９】
しかしながら、受信器内部のセンサは指向性があるため、信号検出時にセンサの方向を優先させると、実際の現場環境では電線や機器等の障害物があり、各配線とセンサの距離や方向を常に一定にすることが困難であった。
このため、結果として、配線ごとの検出の度に感度が変化することになり、受信レベルが安定せず、検出値の信頼性も低いため、十分な探査精度が得られないことが多かった。
【００１０】
（本発明の目的）
本発明の目的は、探査する配線に印加された信号電流により配線に発生する磁界を検出箇所においてセンサにより検出し、受信レベルによって、探査する配線を特定することができるものであって、信号電流として、商用周波数を超える周波数の高周波信号電流と、商用周波数未満の周波数の低周波信号電流を重畳して印加し、更に大まかな領域探査と特定する探査をそれぞれ専用のセンサを使用して行うことにより、効率よく、かつ優れた精度で、探査する配線を特定することができる配線路探査用受信器、それを使用した配線路探査器及び配線路探査方法を提供することである。
【００１１】
また、本発明の他の目的は、配線が密集しているような場合でも、各配線とセンサの距離や方向を常に一定にして、センサを配線に近付けることができ、検出値の信頼性を上げて、探査精度をより向上させることができる配線路探査用受信器及びそれを使用した配線路探査器を提供することである。
【課題を解決するための手段】
【００１２】
上記課題を解決するために本発明が講じた手段は次のとおりである。
第１の発明にあっては、
信号電流として、商用周波数を超える周波数の高周波信号電流と商用周波数未満の周波数の低周波信号電流を重畳して、探査する配線に印加し、
配線路の検出箇所において、高周波信号電流により発生する磁界を検出し、受信レベルによって、探査する配線の領域探査を行い、
上記領域探査により、探査する配線が含まれる領域を絞り込んだ後、その領域内の検出箇所において、更に高周波信号電流または低周波信号電流により発生する磁界を検出し、受信レベルによって、探査する配線を特定することを特徴とする、
配線路探査方法である。
【００１３】
第２の発明にあっては、
配線探査用の受信器であって、
配線に、送信器から重畳して印加された高周波信号電流及び低周波信号電流により発生する磁界を、配線から離隔した状態で高周波信号電流を検出する非接触センサと、
配線をクランプした状態または配線に接触させた状態で高周波信号電流または低周波信号電流を検出する接触センサと、
配線に送信器より重畳して印加された高周波信号電流または低周波信号電流により発生する磁界を、上記非接触センサまたは接触センサで検出された受信レベルを表示する表示手段と、
を備えていることを特徴とする、
配線路探査用受信器である。
【００１４】
第３の発明にあっては、
非接触センサまたは接触センサを設けてある部分が、可変または取替可能な構造であることを特徴とする、
第２の発明に係る配線路探査用受信器である。
【００１５】
第４の発明にあっては、
送信器と、第２または第３の発明に係る配線路探査用受信器とを備えており、
送信器は、
探査する配線に対し、信号電流として商用周波数を超える周波数の高周波信号電流と、商用周波数未満の周波数の低周波信号電流を重畳して印加する印加手段を備えていることを特徴とする、
配線路探査器である。
【００１６】
商用周波数は、日本国においては５０Hzまたは６０Hzであるが、これに限定はされない。また、探査する対象となる配線は、活線の場合もあるし死線の場合もある。
【００１７】
（作用）
本発明に係る配線路探査器の作用を説明する。なお、ここでは、本発明の各構成要件のそれぞれに、後述する実施の形態において各部に付与した符号を対応させて付与し説明するが、この符号の付与は、あくまで説明の理解を助けるためであって各構成要件の上記各部への限定を意味するものではない。
【００１８】
送信器(2)の印加手段によって、配線路中の活線状態の探査する配線に対し、所要の箇所から、商用周波数を超える周波数の高周波信号電流と、商用周波数未満の周波数の低周波信号電流を重畳して（重ね合わせて）印加する。
【００１９】
配線路の検出箇所において、受信器(1)を使用して、非接触センサ(18)により各配線とは非接触の状態で、高周波信号電流により発生する磁界を検出する。そして、その受信レベルによって、探査する配線を特定するのではなく、その配線が含まれる領域の特定、つまり大まかな領域探査を行う。
【００２０】
上記大まかな領域探査により、探査する配線が含まれる領域を絞り込んだ後、その領域内の各配線に、今度は接触センサ(16)でクランプする等、センサを接触させて、高周波信号電流及び低周波信号電流により発生する磁界を検出する。そして、その受信レベルによって、探査する配線を特定する。
【００２１】
このように、印加する高周波信号電流の、より長い距離の電線の探査ができる利点と、低周波信号電流の、誘導やノイズの影響を受けにくい利点のそれぞれの長所を生かし、更に探査する配線の大まかな領域探査と特定する探査をそれぞれ専用のセンサ(18),(16)を使用して行うことにより、効率的にかつ優れた精度で、探査する配線を特定することができる。
【発明の効果】
【００２２】
（ａ）本発明に係る配線探査方法及び装置によれば、送信器より、探査する配線に対し、高周波信号電流と低周波信号電流を重畳して印加し、受信器によって、探査する配線が含まれる領域を大まかに絞り込んだ後、その領域内の各配線に接触センサを接触させて、高周波信号電流または低周波信号電流により発生する磁界を検出し、その受信レベルによって、探査する配線を特定することができる。
このように、印加する高周波信号電流の、より長い電線の探査ができる利点と、低周波信号電流の、誘導やノイズの影響を受けにくい利点のそれぞれの長所を生かし、更に探査する配線の大まかな領域探査と特定する探査をそれぞれ専用のセンサを使用して行うことにより作業性がよくなり、より短時間で効率的にかつ優れた精度で、探査する配線を特定することができる。
【００２３】
（ｂ）非接触センサまたは接触センサを設けてある部分が、可変できる構造であるものは、例えば伸縮またはスライドして突出長を変えることができるもの、あるいは変形することにより方向を自由に変えることができるフレキシブル構造を有しているもの等は、配線が密集して複雑に込み入っているような状態でも、各配線とセンサの距離や方向を常に一定にしてセンサを配線に近付ける際に、センサの指向性等を考慮して位置や方向を決めるときの自由度が高くなる。従って、検出値の信頼性も上がるので、優れた探査精度が得られる。
また、非接触センサと接触センサを設けてある部分が取替可能であるものは、例えば上記のような様々な特性を持つ非接触センサと接触センサを利用することが可能になる。これにより、各配線とセンサの距離や方向を常に一定にしてセンサを配線に近付ける作業が更にやりやすくなる。
【発明を実施するための最良の形態】
【００２４】
本発明を図に示した実施の形態に基づき詳細に説明する。
図１は本発明に係る配線路探査用受信器の第１実施の形態を示し、（ａ）は正面図、（ｂ）は側面図、
図２は接触センサを収容した状態でのシールドカバーの動きを示し、（ａ）は閉じた状態の説明図、（ｂ）は開いた状態の説明図、
図３は配線路探査用送信器の実施の形態を示し、（ａ）は正面図、（ｂ）は側面図、
図４は配線路探査用受信器の構造を示すブロック図、
図５は配線路探査用送信器の構造を示すブロック図である。
なお、後述するシールドカバー１７は図２に図示しており、図１では便宜上図示を省略している。
【００２５】
配線路探査器（符号省略）は、受信器１と送信器２を備えている。
【００２６】
（受信器１）
図１、図２を参照する。
受信器１は、ケース１０を有している。ケース１０の正面側には操作盤１１が設けられている。操作盤１１には、電源スイッチ１２、電源表示灯１３、感度切替スイッチ１４及び受信レベル表示部１５が設けられている。
ケース１０は、厚み方向において正面側の先端部がやや窄まるように形成されている。その部分の内部には、先端から側部にかけて開口した収容部１９が設けられている。
【００２７】
収容部１９の内部には、接触センサであるクランプセンサ１６が開口部１９０から出入り可能に設けられている。クランプセンサ１６は、移動体１６０の先端に設けられている。
【００２８】
クランプセンサ１６は、高周波信号電流及び低周波信号電流により配線に発生する磁界をそれぞれ検出できる専用のセンサで構成されている。クランプセンサ１６の出入り操作は、移動体１６０に設けられケース１０の正面側に突出している操作ツマミ１６１をスライド操作することによって行うことができる。
【００２９】
クランプセンサ１６は、半円形の円弧部を有するよう設けられたセンサ構成体１６２、１６３で構成されている。センサ構成体１６２、１６３は、収容部１９から出たときに先部側が開き、収容部１９に収まったときに閉じるよう構成されている。クランプセンサ１６は、閉じたときに中央部に、クランプする配線を通すことができる空間１６４が形成されるようになっている。
【００３０】
また、収容部１９内には、シールドカバー１７が設けられている。シールドカバー１７は、磁性体である金属製であり、クランプセンサ１６を覆うことにより、クランプセンサ１６に対して、クランプする配線以外からの磁場または電場の影響を軽減（または本質的に遮断）することができる。これにより、特定探査において、隣接する他の配線や機器からのノイズを受けにくくなり、検出値の信頼性が更に上がり、より優れた探査精度が得られる。
【００３１】
シールドカバー１７は、ほぼ半円形の円弧部を有するよう設けられたカバー構成体１７０、１７１で構成されている。カバー構成体１７０、１７１は、閉じたクランプセンサ１６を覆うことができ、ケース１０の先部側二箇所に設けられている円弧状の長穴１７４から外部へ突出したツマミ１７２の操作によってクランプセンサ１６の形状に沿ってスライドさせて開閉できる構造である。
なお、シールドカバー１７にも、閉じたときには、クランプする配線を通すことができる空間１７３が形成される。空間１７３は、上記クランプセンサ１６の空間１６４よりやや径小である。
【００３２】
また、ケース１０の背面側には、非接触センサ１８が設けられている。非接触センサ１８は、スライドすることにより進退可能な伸縮体１８０の先端部に設けられている。伸縮体１８０は、ケース１０の背面側に突出したツマミ１８１の操作によって進退操作（または伸縮操作）ができる。
【００３３】
非接触センサ１８は、伸縮体１８０が最長に伸びると、ケース１０の先端より突出するようになっており、伸縮体１８０が最短に縮むと、ケース１０の先部背面側に隠れるようになっている（図１（ｂ）参照）。なお、非接触センサ１８は、高周波信号電流により配線に発生する磁界を検出することができるものである。
【００３４】
図４のブロック図を参照する。
符号１００は高周波増幅回路、１０１は高周波フィルタ回路、１０２は信号比較回路、１０３は低周波増幅回路、１０４は低周波フィルタ回路、１０５は信号比較回路、１０６は判定出力回路、１０７はブザー用発振回路、１０８は検出表示ブザー、１０９は検出表示LED、Ｂ１は９ボルトのバッテリー、１１０は電源回路、１１１は制御回路である。
この構造によれば、非接触センサ１８によって、高周波信号電流により配線に発生する磁界を検出し、受信レベル表示部１５に受信レベルを表示することができる。
また、クランプセンサ１６によって、高周波信号電流または低周波信号電流により配線に発生する磁界を検出し、受信レベル表示部１５に受信レベルを表示することができる。
【００３５】
（送信器２）
図３を参照する。
送信器２はケース２０を有し、その正面側には操作盤２１が設けられている。操作盤２１には、電源スイッチ２２、電源表示灯２３、低周波信号電圧切替スイッチ２４、活線死線切替スイッチ２５及び高周波信号と低周波信号を重畳して送信する印加部である出力端子２６が設けられている。
【００３６】
図５のブロック図を参照する。
符号Ｂ２は１２ボルトのバッテリー、２００は制御電源、２０１は電源回路、２０２は電池寿命判定回路、２０３は高周波発振回路、２０４は信号出力回路、２０５は昇圧回路、２０６は定電流信号出力回路、２０７は低周波発振回路、２０８は信号用負荷、２０９は電圧検知回路である。
【００３７】
この構造によれば、出力端子２６から探査する配線に対し、信号電流として商用周波数（５０Hzまたは６０Hz）を超える周波数の高周波信号電流と、商用周波数未満の周波数の低周波信号電流を重畳して印加することができる。ここでは、高周波信号電流は500Ｈｚ〜50ｋＨｚ，低周波信号電流は1Ｈｚ〜50Ｈｚの何れかの信号とする。しかし、本発明は商用周波数を超える周波数の高周波信号電流と、商用周波数未満の周波数の低周波信号電流であればよく、ここで示す上記の範囲に限定されない。なお、送信器２から注入される信号の電圧レベルは直流５〜２４Ｖのいずれかを印加してもよい。
【００３８】
（作用）
配線路探査器の使用方法及び作用を説明する。
図６は配線路探査器の使用方法を示し、（ａ）は配線路遮断機器の探査または単芯ケーブルの探査を行う場合の説明図、（ｂ）は配線路において任意の芯線の探査を行う場合の説明図である。まず、図６（ａ）を参照する。
【００３９】
探査する配線路３において、任意の二本の電線、電線３１と電線３２に、送信器２の出力端子２６の一方から、信号電流として商用周波数（５０Hzまたは６０Hz）を超える周波数の高周波信号電流と、商用周波数未満の周波数の低周波信号電流を重畳して印加する。なお、Ｅは電源、３０、４０は配線路遮断器である。
【００４０】
（１）Ｐ３の領域で、受信器１を使用し、非接触センサ１８により配線路３内の配線路遮断器３０に接続されている各電線の大まかな領域探査を行う。次に、Ｐ４の領域で配線路４の配線路遮断器４０に接続されている各電線の大まかな領域探査を同様に行う。
（２）例えばＰ３の領域で電線３１または電線３２の反応が受信レベルで確認できたら、Ｐ３の領域にある配線路３を構成する各電線を受信器１のクランプセンサ１６でクランプして、それぞれの受信レベルを検出する。このとき、検出の対象となる各電線をクランプすることにより、クランプセンサ１６との距離を一定（この場合は接触）に保った状態で確実にクランプできるので、検出値の信頼性を上げることができる。
（３）そして、配線路３の他の電線と比較して受信レベルが顕著に上がった電線３１、３２を探査する配線として特定する。
【００４１】
次に、図６（ｂ）を参照する。
【００４２】
探査するケーブル５において、芯線５１に、送信器２の出力端子２６の一方を接続し、信号電流として商用周波数（５０Hzまたは６０Hz）を超える周波数の高周波信号電流と、商用周波数未満の周波数の低周波信号電流を重畳して印加する。出力端子２６の他方は、接地させておく。なお、Ｅは電源、５０、６０は配線路遮断器である。
【００４３】
（１）Ｐ５の領域で、受信器１を使用し、非接触センサ１８によりケーブル５の大まかな領域探査を行う。次に、Ｐ６の領域でケーブル６の大まかな領域探査を行う。
（２）例えば探査するケーブル５の芯線５１の反応がＰ５の領域で受信レベルによって確認できたら、ケーブル５をノイズの影響を受けにくい受信器１のクランプセンサ１６でクランプして、受信レベルを検出する。そして、他のケーブル６と比較して受信レベルが顕著に上がったことを確認して、ケーブル５を探査する配線として特定する。
【００４４】
図７は配線路探査器の使用方法を示し、多数の電線が設置されている配線路において配線の探査を行う場合の説明図である。
【００４５】
探査する配線路７の電線７１に、送信器２の出力端子２６の一方から、信号電流として商用周波数（５０Hzまたは６０Hz）を超える周波数の高周波信号電流と、商用周波数未満の周波数の低周波信号電流を重畳して印加する。出力端子２６の他方は、接地させておく。また、各配線路７、８の各電線は接地させてある。
【００４６】
（１）Ｐ７の領域で、受信器１を使用し、非接触センサ１８により配線路７付近の大まかな領域探査を行う。同様に、Ｐ８の領域で配線路８付近の大まかな領域探査を行うことによって、当該電線の推測を立てることができる。
（２）例えば探査する電線７１の反応がＰ７の領域で受信レベルによって確認できたら、配線路７を構成する各電線を受信器１のクランプセンサ１６でクランプして、それぞれの受信レベルを検出する。そして、配線路７の他の電線と比較して受信レベルが顕著に上がった電線７１を探査する配線として特定する。
【００４７】
図６、図７に示した各方法によれば、送信器２によって探査する電線に対し、高周波信号電流と低周波信号電流を重畳して印加し、受信器１の非接触センサ１８によって高周波信号電流により発生する磁界を検出し、探査する電線が含まれる領域を大まかに絞り込んだ後、次の段階でその領域内の各電線をクランプセンサ１６でクランプして、高周波信号電流または低周波信号電流により発生する磁界を検出し、その受信レベルによって、探査する配線が特定できる。
【００４８】
このように、探査する配線の大まかな領域探査と特定する探査をそれぞれ専用のセンサすなわち非接触センサ１８とクランプセンサ１６を使用して、二段階のステップで段階的に行うことにより、効率的にかつ優れた精度で、探査する配線を特定することができる。
また、送信器２より、探査する電線に対し、高周波信号電流と低周波信号電流を重畳して印加するので、印加する高周波信号電流の、より長い電線の探査ができる利点と、低周波信号電流の、誘導やノイズの影響を受けにくい利点のそれぞれの長所を生かすことにより、作業性がよくなり、より短時間で効率的にかつ優れた精度で、探査する配線を特定することができる。
【００４９】
図８は本発明に係る配線路探査用受信器の第２の実施の形態を示す説明図である。
【００５０】
本実施の形態に係る受信器１ａは、固定型の非接触センサ１８ａを先端部に内蔵している。また、接触センサとして、クランプセンサ１６ａ、溝型センサ１６ｂ、フレキシブルクランプセンサ１６ｃを付け替えることができる構造である。
【００５１】
クランプセンサ１６ａ、溝型センサ１６ｂ、フレキシブルクランプセンサ１６ｃは、それぞれケーブル１６５の先端にコネクタ１６６を有しており、コネクタ１６６を受信器１ａの本体側に設けられた接続ジャック１６７に着脱して付け替えができる。
なお、溝型センサ１６ｂは、センサが設けてある部分に配線を通すことができる通し部である溝１６９が設けられている。溝１６９によれば、検出の対象となる溝１６９に嵌め入れた電線をセンサとの距離を保った状態で保持できるので、検出値の信頼性を上げることができ、優れた探査精度が得られる。
【００５２】
受信器１ａは、使用にあたってクランプセンサ１６ａ、溝型センサ１６ｂ、フレキシブルクランプセンサ１６ｃのうち、配線路の状況に最も好適なものを選択して使用できるので、検出がより正確にできる。
【００５３】
図９は本発明に係る配線路探査用受信器の第３の実施の形態を示す説明図である。
【００５４】
本実施の形態に係る受信器１ｂは、非接触センサである長尺センサ１８ｂ、伸縮センサ１８ｃ、フレキシブルセンサ１８ｄと、接触センサであるクランプセンサ１６ｄ、溝型センサ１６ｅを付け替えることができる構造である。
【００５５】
長尺センサ１８ｂ、伸縮センサ１８ｃ、フレキシブルセンサ１８ｄは、基端部に設けてあるコネクタ１８２を受信器１ｂの本体側に設けられた接続部１８３に着脱して付け替えができる。また、クランプセンサ１６ｄ、溝型センサ１６ｅも同様に、基端部に設けてあるコネクタ１６８を受信器１ｂの本体側に設けられた接続部１８３に着脱して付け替えができる。
【００５６】
受信器１ｂは、使用にあたって、まず、非接触センサである長尺センサ１８ｂ、伸縮センサ１８ｃ、フレキシブルセンサ１８ｄを接続して、探査する配線の大まかな領域探査を行い、次に、接触センサであるクランプセンサ１６ｄ、溝型センサ１６ｅに付け替えて、特定探査を行うようにする。また、各センサのうち、配線路の状況に最も好適なものを選択して使用できるので、検出がより正確にできる。
【００５７】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５８】
【図１】本発明に係る配線路探査用受信器の第１実施の形態を示し、（ａ）は正面図、（ｂ）は側面図。
【図２】接触センサを収容した状態でのシールドカバーの動きを示し、（ａ）は閉じた状態の説明図、（ｂ）は開いた状態の説明図。
【図３】配線路探査用送信器の実施の形態を示し、（ａ）は正面図、（ｂ）は側面図。
【図４】配線路探査用受信器の構造を示すブロック図。
【図５】配線路探査用送信器の構造を示すブロック図。
【図６】配線路探査器の使用方法を示し、（ａ）は配線路遮断機器の探査または単芯ケーブルの探査を行う場合の説明図、（ｂ）は配線路において任意の芯線の探査を行う場合の説明図。
【図７】配線路探査器の使用方法を示し、多数の電線が設置されている配線路において配線の探査を行う場合の説明図。
【図８】本発明に係る配線路探査用受信器の第２の実施の形態を示す説明図。
【図９】本発明に係る配線路探査用受信器の第３の実施の形態を示す説明図。
【符号の説明】
【００５９】
１  受信器
１０  ケース
１１  操作盤
１２  電源スイッチ
１３  電源表示灯
１４  感度切替スイッチ
１５  受信レベル表示部
１６  クランプセンサ
１６０  移動体
１６１  操作ツマミ
１６２、１６３  センサ構成体
１６４  空間
１７  シールドカバー
１７０、１７１  カバー構成体
１７２  ツマミ
１７３  空間
１７４  長穴
１８  非接触センサ
１８０  伸縮体
１８１  ツマミ
１８２  コネクタ
１８３  接続部
１９  収容部
１９０  開口部
Ｂ１  バッテリー
１ａ  受信器
１６ａ  クランプセンサ
１６ｂ  溝型センサ
１６ｃ  フレキシブルクランプセンサ
１６５  ケーブル
１６６  コネクタ
１６７  接続ジャック
１６９  溝
１８ａ  非接触センサ
１ｂ  受信器
１６ｄ  クランプセンサ
１６ｅ  溝型センサ
１６８  コネクタ
１８ｂ  長尺センサ
１８ｃ  伸縮センサ
１８ｄ  フレキシブルセンサ
２  送信器
２０  ケース
２１  操作盤
２２  電源スイッチ
２３  電源表示灯
２４  低周波信号電圧切替スイッチ
２５  活線死線切替スイッチ
２６  出力端子
Ｂ２  バッテリー
３  配線路
３０  配線路遮断器
３１、３２  電線
４  配線路
４０  配線路遮断器
５  ケーブル
５０  配線路遮断器
５１  芯線
６  ケーブル
６０  配線路遮断器
７  配線路
７１  配線
８  配線路
Ｐ３、Ｐ４、Ｐ５、Ｐ６、Ｐ７、Ｐ８  領域
【図１】
2006184246.tif 000003
【図２】
2006184246.tif 000004
【図３】
2006184246.tif 000005
【図４】
2006184246.tif 000006
【図５】
2006184246.tif 000007
【図６】
2006184246.tif 000008
【図７】
2006184246.tif 000009
【図８】
2006184246.tif 000010
【図９】
2006184246.tif 000011